(57)【特許請求の範囲】
【請求項１】
第１のデバイスにより、チャネル上の事前設定された時点に応じて候補時点セットを決定することであって、前記候補時点セットにおける各候補時点は時間における時点を含み、前記チャネル上の前記事前設定された時点は前記チャネル上のタイムスロットの開始時点または前記チャネル上のデータサブフレームの開始時点である、決定することと、
前記第１のデバイスにより、前記候補時点セットからターゲット候補時点を決定することであって、前記ターゲット候補時点はクリアチャネルアセスメント（ＣＣＡ）バックオフプロセスの終了時点と等しいかまたは終了時点より後である前記候補時点セットにおける候補時点である、決定することと、
前記第１のデバイスにより、前記ターゲット候補時点に応じてチャネル上でデータを送信することと
を備えることを特徴とするデータ伝送方法。
【請求項２】
前記第１のデバイスにより、前記ターゲット候補時点に応じてチャネル上でデータを前記送信することは、
前記第１のデバイスにより、前記ターゲット候補時点から前記チャネル上で前記データを送信することを開始することを備えることを特徴とする請求項１に記載の方法。
【請求項３】
前記ターゲット候補時点が、前記ＣＣＡバックオフプロセスの前記終了時点より後である前記候補時点セットにおける候補時点である場合、
前記第１のデバイスにより、前記ＣＣＡバックオフプロセスの前記終了時点から前記チャネル上でパディングデータを送信することを開始することと、
前記第１のデバイスにより、前記ターゲット候補時点から前記チャネル上で前記パディングデータを送信することを停止することであって、前記ターゲット候補時点は、前記ＣＣＡバックオフプロセスの前記終了時点より後である前記候補時点セットにおける第１の候補時点である、該停止することと
をさらに備えることを特徴とする請求項２に記載の方法。
【請求項４】
前記ターゲット候補時点が、前記ＣＣＡバックオフプロセスの前記終了時点より後である前記候補時点セットにおける候補時点である場合、
前記第１のデバイスにより、前記ＣＣＡバックオフプロセスの前記終了時点からＣＣＡ検出を実行することを開始することと、
前記第１のデバイスにより、前記ターゲット候補時点から前記ＣＣＡ検出を実行することを停止することであって、前記ターゲット候補時点は、前記チャネルがアイドルであり、かつ前記ＣＣＡバックオフプロセスの前記終了時点より後である前記候補時点セットにおける第１の候補時点である、該停止することと
をさらに備えることを特徴とする請求項１に記載の方法。
【請求項５】
前記第１のデバイスにより、チャネル上でデータを送信することは、
前記第１のデバイスにより、前記ターゲット候補時点から前記ＣＣＡバックオフプロセスの実行を開始することと、
前記第１のデバイスにより、前記ＣＣＡバックオフプロセスの終了時点から前記チャネル上で前記データの送信を開始することと
をさらに備えることを特徴とする請求項１に記載の方法。
【請求項６】
第１のデバイスにより、候補時点セットを決定することであって、前記候補時点セットにおける各候補時点は時間における時点を含む、決定することと、
前記第１のデバイスにより、前記候補時点セットからターゲット候補時点を決定することと、
前記第１のデバイスにより、前記ターゲット候補時点に応じてチャネル上でデータを送信することと
を備えるデータ伝送方法であって、
前記第１のデバイスにより、前記候補時点セットからターゲット候補時点を前記決定することは、
前記第１のデバイスにより、前記候補時点セットに応じて第１のバックオフ閾値Ｎminを決定することであって、Ｎminは、正の整数である、該決定することと、
前記第１のデバイスにより、［Ｎmin，ｑ］から初期バックオフ値Ｎを決定することであって、ｑは、前記第１のデバイスの事前設定されたバックオフ閾値であり、かつｑは、Ｎminより大きい正の整数である、該決定することと、
前記第１のデバイスにより、前記初期バックオフ値Ｎに応じてクリアチャネルアセスメントＣＣＡバックオフプロセスを実行することと、
前記第１のデバイスにより、現在のバックオフ値Ｎcを決定することと、
前記第１のデバイスにより、第２の時点を決定することであって、前記第２の時点は、前記現在のバックオフ値Ｎcが前記第１のバックオフ閾値Ｎminと等しい時点である、該決定することと、
前記第１のデバイスにより、前記候補時点セットから前記ターゲット候補時点を決定することであって、前記ターゲット候補時点は、前記第２の時点より早くなく、前記ターゲット候補時点は、第３の時点より早く、かつ前記第３の時点は、前記現在のバックオフ値Ｎcが０と等しい時点である、該決定することと
を備え、
前記第１のデバイスにより、前記ターゲット候補時点に応じてチャネル上でデータを前記送信することは、
前記第１のデバイスにより、前記ターゲット候補時点から前記チャネル上で前記データを送信することを開始することを備えることを特徴とする方法。
【請求項７】
第２のデバイスにより、チャネル上の事前設定された時点に応じて候補時点セットを決定することであって、前記候補時点セットにおける各候補時点は時間における時点を含み、前記チャネル上の前記事前設定された時点は前記チャネル上のタイムスロットの開始時点または前記チャネル上のデータサブフレームの開始時点である、決定することと、
前記第２のデバイスにより、前記候補時点セットにおける各候補時点を決定することであって、ターゲット候補時点はクリアチャネルアセスメント（ＣＣＡ）バックオフプロセスの終了時点と等しいかまたは終了時点より後である前記候補時点セットにおける候補時点である、決定することと、
前記第２のデバイスにより、各候補時点に応じてチャネル上でデータを受信することとを備えることを特徴とするデータ伝送方法。
【請求項８】
第１の決定ユニットと、
第２の決定ユニットと、
送信ユニットと
を備える第１のデバイスであって、
前記第１の決定ユニットは、チャネル上の事前設定された時点に応じて候補時点セットを決定するように構成され、前記候補時点セットにおける各候補時点は時間における時点を含み、前記チャネル上の前記事前設定された時点は前記チャネル上のタイムスロットの開始時点または前記チャネル上のデータサブフレームの開始時点であり、
前記第２の決定ユニットは、前記第１の決定ユニットによって決定された前記候補時点セットからターゲット候補時点を決定するように構成され、前記ターゲット候補時点はクリアチャネルアセスメント（ＣＣＡ）バックオフプロセスの終了時点と等しいかまたは終了時点より後である前記候補時点セットにおける候補時点であり、
前記送信ユニットは、前記第２の決定ユニットによって決定された前記ターゲット候補時点に応じてチャネル上でデータを送信するように構成されることを特徴とする第１のデバイス。
【請求項９】
前記送信ユニットは、前記ターゲット候補時点から前記チャネル上で前記データを送信することを開始するように特に構成されることを特徴とする請求項８に記載のデバイス。
【請求項１０】
前記送信ユニットは、前記ターゲット候補時点が、前記ＣＣＡバックオフプロセスの前記終了時点より後である前記候補時点セットにおける候補時点である場合、前記ＣＣＡバックオフプロセスの前記終了時点から前記チャネル上でパディングデータを送信することを開始すること、および前記ターゲット候補時点から前記チャネル上で前記パディングデータを送信することを停止することを行うようにさらに構成され、前記ターゲット候補時点は、前記ＣＣＡバックオフプロセスの前記終了時点より後である前記候補時点セットにおける第１の候補時点であることを特徴とする請求項８に記載のデバイス。
【請求項１１】
前記第２の決定ユニットは、前記ターゲット候補時点が、前記ＣＣＡバックオフプロセスの前記終了時点より後である前記候補時点セットにおける候補時点である場合、前記ＣＣＡバックオフプロセスの前記終了時点からＣＣＡ検出を実行することを開始すること、および前記ターゲット候補時点から前記ＣＣＡ検出を実行することを停止することを行うようにさらに構成され、前記ターゲット候補時点は、前記チャネルがアイドルであり、かつ前記ＣＣＡバックオフプロセスの前記終了時点より後である前記候補時点セットにおける第１の候補時点であることを特徴とする請求項８に記載のデバイス。
【請求項１２】
第１の決定ユニットと、
第２の決定ユニットと、
送信ユニットと
を備える第１のデバイスであって、
前記第１の決定ユニットは、候補時点セットを決定するように構成され、
前記第２の決定ユニットは、前記第１の決定ユニットによって決定された前記候補時点セットからターゲット候補時点を決定するように構成され、
前記送信ユニットは、前記第２の決定ユニットによって決定された前記ターゲット候補時点に応じてチャネル上でデータを送信するように構成され、
前記第２の決定ユニットは、
前記候補時点セットに応じて第１のバックオフ閾値Ｎminを決定することであって、Ｎminは、正の整数であること、
［Ｎmin，ｑ］から初期バックオフ値Ｎを決定することであって、ｑは、第１のデバイスの事前設定されたバックオフ閾値であり、かつｑは、Ｎminより大きい正の整数であること、
前記初期バックオフ値Ｎに応じてクリアチャネルアセスメントＣＣＡバックオフプロセスを実行すること、
現在のバックオフ値Ｎcを決定すること、
第２の時点を決定することであって、前記第２の時点は、前記現在のバックオフ値Ｎcが前記第１のバックオフ閾値Ｎminと等しい時点であること、および
前記候補時点セットから前記ターゲット候補時点を決定することであって、前記ターゲット候補時点は、前記第２の時点より早くなく、前記ターゲット候補時点は、第３の時点より早く、かつ前記第３の時点は、前記現在のバックオフ値Ｎcが０と等しい時点であること
を行うように特に構成される、デバイスであって、
前記送信ユニットは、前記ターゲット候補時点から前記チャネル上で前記データを送信することを開始するように特に構成されることを特徴とするデバイス。
【請求項１３】
第１の決定ユニットと、
第２の決定ユニットと、
受信ユニットと
を備える第２のデバイスであって、
前記第１の決定ユニットは、チャネル上の事前設定された時点に応じて候補時点セットを決定するように構成され、前記候補時点セットにおける各候補時点は時間における時点を含み、前記チャネル上の前記事前設定された時点は前記チャネル上のタイムスロットの開始時点または前記チャネル上のデータサブフレームの開始時点であり、
前記第２の決定ユニットは、前記第１の決定ユニットによって決定された前記候補時点セットにおける各候補時点を決定するように構成され、ターゲット候補時点はクリアチャネルアセスメント（ＣＣＡ）バックオフプロセスの終了時点と等しいかまたは終了時点より後である前記候補時点セットにおける候補時点であり、
前記受信ユニットは、前記第２の決定ユニットによって決定された各候補時点に応じてチャネル上でデータを受信するように構成されることを特徴とする第２のデバイス。
【請求項１４】
請求項１ないし７のいずれか一項に記載の方法を実行するように適合されたプログラム。
【請求項１５】
コンピュータにより実行されたとき、前記コンピュータに請求項１ないし７のいずれか一項に記載の方法のステップを実行させる命令を含むコンピュータ読み取り可能な記憶媒体。
【発明の詳細な説明】
【技術分野】
【０００１】
本発明の実施形態は、通信技術に関し、より詳細には、データ伝送方法およびデバイスに関する。
【背景技術】
【０００２】
Ｌｉｃｅｎｃｅｄ−Ａｓｓｉｓｔｅｄ  Ａｃｃｅｓｓ  Ｕｓｉｎｇ  Ｌｏｎｇ  Ｔｅｒｍ  Ｅｖｏｌｕｔｉｏｎ（略して「ＬＡＡ−ＬＴＥ」）システムにおいて、デバイスは、Ｌｉｓｔｅｎ  Ｂｅｆｏｒｅ  Ｔａｌｋ（略して「ＬＢＴ」）規則によりチャネルリソースを使用する。ＬＢＴの動作モードは、Ｌｏａｄ  Ｂａｓｅｄ  Ｅｑｕｉｐｍｅｎｔ（略して「ＬＢＥ」）動作モードおよびＦｒａｍｅ  Ｂａｓｅｄ  Ｅｑｕｉｐｍｅｎｔ（略して「ＦＢＥ」）動作モードを含む。
【０００３】
ＬＡＡ−ＬＴＥシステムにおけるデータ伝送中、受信側デバイスは、データを獲得するチャネルを継続的に検出する必要がある。このことは、受信側デバイスの比較的高い電力消費をもたらす。
【発明の概要】
【０００４】
本発明の実施形態は、デバイスがデータを受信する際にデバイスの電力消費が低減されることができるようにデータ伝送方法およびデバイスを提供する。
【０００５】
第１の態様によれば、本発明の実施形態が、第１のデバイスにより、候補時点セットを決定すること、第１のデバイスにより、候補時点セットからターゲット候補時点を決定すること、および第１のデバイスにより、ターゲット候補時点に応じてチャネル上でデータを送信することを含むデータ伝送方法を提供する。
【０００６】
第１の態様に関して、第１の可能な実施様態において、第１のデバイスにより、候補時点セットからターゲット候補時点を決定することは、第１のデバイスにより、クリアチャネルアセスメントＣＣＡバックオフプロセスの終了時点に応じて候補時点セットからターゲット候補時点を決定することを含み、かつ第１のデバイスにより、ターゲット候補時点に応じてチャネル上でデータを送信することは、第１のデバイスにより、ターゲット候補時点からチャネル上でデータを送信することを開始することを含む。
【０００７】
第１の態様の第１の可能な実施方式に関して、第１の態様の第２の可能な実施様態において、第１のデバイスにより、クリアチャネルアセスメントＣＣＡバックオフプロセスの終了時点に応じて候補時点セットからターゲット候補時点を決定することは、第１のデバイスにより、候補時点セットからターゲット候補時点を決定することであって、ターゲット候補時点は、ＣＣＡバックオフプロセスの終了時点と等しい、または終了時点より後であることを含む。
【０００８】
第１の態様の第２の可能な実施方式に関して、第１の態様の第３の可能な実施様態において、ターゲット候補時点が、ＣＣＡバックオフプロセスの終了時点より後である候補時点セットにおける候補時点である場合、方法は、第１のデバイスにより、ＣＣＡバックオフプロセスの終了時点からチャネル上でパディングデータを送信することを開始すること、および第１のデバイスにより、ターゲット候補時点からチャネル上でパディングデータを送信することを停止することであって、ターゲット候補時点は、ＣＣＡバックオフプロセスの終了時点より後である候補時点セットにおける第１の候補時点であることをさらに含む。
【０００９】
第１の態様の第２の可能な実施方式に関して、第１の態様の第４の可能な実施様態において、ターゲット候補時点が、ＣＣＡバックオフプロセスの終了時点より後である候補時点セットにおける候補時点である場合、方法は、第１のデバイスにより、ＣＣＡバックオフプロセスの終了時点からＣＣＡ検出を実行することを開始すること、および第１のデバイスにより、ターゲット候補時点からＣＣＡ検出を実行することを停止することであって、ターゲット候補時点は、チャネルがアイドルであり、かつＣＣＡバックオフプロセスの終了時点より後である候補時点セットにおける第１の候補時点であることをさらに含む。
【００１０】
第１の態様に関して、第１の態様の第５の可能な実施様態において、第１のデバイスにより、候補時点セットからターゲット候補時点を決定することは、第１のデバイスにより、候補時点セットに応じて第１のバックオフ閾値Ｎminを決定することであって、Ｎminは、正の整数であること、第１のデバイスにより、［Ｎmin，ｑ］から初期バックオフ値Ｎを決定することであって、ｑは、第１のデバイスの事前設定されたバックオフ閾値であり、かつｑは、Ｎminより大きい正の整数であること、第１のデバイスにより、初期バックオフ値Ｎに応じてクリアチャネルアセスメントＣＣＡバックオフプロセスを実行すること、第１のデバイスにより、現在のバックオフ値Ｎcを決定すること、第１のデバイスにより、第２の時点を決定することであって、第２の時点は、現在のバックオフ値Ｎcが第１のバックオフ閾値Ｎminと等しい時点であること、および第１のデバイスにより、候補時点セットからターゲット候補時点を決定することであって、ターゲット候補時点は、第２の時点より早くなく、ターゲット候補時点は、第３の時点より早く、かつ第３の時点は、現在のバックオフ値Ｎcが０と等しい時点であることを含み、かつ第１のデバイスにより、ターゲット候補時点に応じてチャネル上でデータを送信することは、第１のデバイスにより、ターゲット候補時点からチャネル上でデータを送信することを開始することを含む。
【００１１】
第１の態様に関して、第１の態様の第６の可能な実施様態において、第１のデバイスにより、ターゲット候補時点に応じてチャネル上でデータを送信することは、第１のデバイスにより、ターゲット候補時点からクリアチャネルアセスメントＣＣＡバックオフプロセスを実行することを開始すること、および第１のデバイスにより、ＣＣＡバックオフプロセスの終了時点からチャネル上でデータを送信することを開始することを含む。
【００１２】
第１の態様、または第１の態様の前述の可能な実施様態のうちのいずれか１つに関して、第１の態様の第７の可能な実施様態において、第１のデバイスにより、候補時点セットを決定することは、第１のデバイスにより、チャネル上の事前設定された時点に応じて候補時点セットを決定することを含む。
【００１３】
第１の態様の第７の可能な実施方式に関して、第１の態様の第８の可能な実施様態において、チャネル上の事前設定された時点は、以下の時点、すなわち、チャネル上の直交周波数分割多重ＯＦＤＭシンボルの開始時点、チャネル上の直交周波数分割多重シンボルの各１／Ｋに対応する時点、チャネル上のタイムスロットの開始時点、チャネル上のデータサブフレームの開始時点、チャネル上のデータフレームの開始時点、またはチャネル上のＭ個のサンプリング周期の開始時点のうちのいずれか１つであり、Ｋは、１より大きい正の整数であり、かつＭは、正の整数である。
【００１４】
第２の態様によれば、本発明の実施形態が、第２のデバイスにより、候補時点セットを決定すること、第２のデバイスにより、候補時点セットにおける各候補時点を決定すること、および第２のデバイスにより、各候補時点に応じてチャネル上でデータを受信することを含むデータ伝送方法を提供する。
【００１５】
第２の態様によれば、第２の態様の第１の可能な実施様態において、第２のデバイスにより、各候補時点に応じてチャネル上でデータを受信することは、第２のデバイスにより、各候補時点においてチャネル上でチャネル検出を実行して、チャネル上でデータを受信するようにすることを含む。
【００１６】
第２の態様に関して、第２の態様の第２の可能な実施様態において、第２のデバイスにより、各候補時点に応じてチャネル上でデータを受信することは、第２のデバイスにより、各候補時点に応じて各クリアチャネルアセスメントＣＣＡ検出の終了時点を決定すること、および第２のデバイスにより、各ＣＣＡ検出の終了時点においてチャネル上でチャネル検出を実行して、チャネル上でデータを受信するようにすることを含む。
【００１７】
第２の態様、または第２の態様の前述の可能な実施様態のいずれか１つに関して、第２の態様の第３の可能な実施様態において、第２のデバイスにより、候補時点セットを決定することは、第２のデバイスにより、チャネル上の事前設定された時点に応じて候補時点セットを決定することを含む。
【００１８】
第２の態様の第３の可能な実施方式に関して、第２の態様の第４の可能な実施様態において、チャネル上の事前設定された時点は、以下の時点、すなわち、チャネル上の直交周波数分割多重ＯＦＤＭシンボルの開始時点、チャネル上のＯＦＤＭシンボルの各１／Ｋに対応する時点、チャネル上のタイムスロットの開始時点、チャネル上のデータサブフレームの開始時点、チャネル上のデータフレームの開始時点、またはチャネル上のＭ個のサンプリング周期の開始時点のうちのいずれか１つであり、Ｋは、１より大きい正の整数であり、かつＭは、正の整数である。
【００１９】
第３の態様によれば、本発明の実施形態が、第１のデバイスを提供し、第１のデバイスは、第１の決定ユニットと、第２の決定ユニットと、送信ユニットとを含み、第１の決定ユニットは、候補時点セットを決定するように構成され、第２の決定ユニットは、第１の決定ユニットによって決定された候補時点セットからターゲット候補時点を決定するように構成され、送信ユニットは、第２の決定ユニットによって決定されたターゲット候補時点に応じてチャネル上でデータを送信するように構成される。
【００２０】
第３の態様に関して、第３の態様の第１の可能な実施様態において、第２の決定ユニットは、クリアチャネルアセスメントＣＣＡバックオフプロセスの終了時点に応じて候補時点セットからターゲット候補時点を決定するように特に構成され、送信ユニットは、ターゲット候補時点からチャネル上でデータを送信することを開始するように特に構成される。
【００２１】
第３の態様の第１の可能な実施方式に関して、第３の態様の第２の可能な実施様態において、第２の決定ユニットは、候補時点セットからターゲット候補時点を決定するように特に構成され、ターゲット候補時点は、ＣＣＡバックオフプロセスの終了時点と等しい、または終了時点より後である。
【００２２】
第３の態様の第２の可能な実施方式に関して、第３の態様の第３の可能な実施様態において、送信ユニットは、ターゲット候補時点が、ＣＣＡバックオフプロセスの終了時点より後である候補時点セットにおける候補時点である場合、ＣＣＡバックオフプロセスの終了時点からチャネル上でパディングデータを送信することを開始すること、およびターゲット候補時点からチャネル上でパディングデータを送信することを停止することを行うようにさらに構成され、ターゲット候補時点は、ＣＣＡバックオフプロセスの終了時点より後である候補時点セットにおける第１の候補時点である。
【００２３】
第３の態様の第２の可能な実施方式に関して、第３の態様の第４の可能な実施様態において、第２の決定ユニットは、ターゲット候補時点が、ＣＣＡバックオフプロセスの終了時点より後である候補時点セットにおける候補時点である場合、ＣＣＡバックオフプロセスの終了時点からＣＣＡ検出を実行することを開始すること、およびターゲット候補時点からＣＣＡ検出を実行することを停止することを行うようにさらに構成され、ターゲット候補時点は、チャネルがアイドルであり、かつＣＣＡバックオフプロセスの終了時点より後である候補時点セットにおける第１の候補時点である。
【００２４】
第３の態様に関して、第３の態様の第５の可能な実施様態において、第２の決定ユニットは、候補時点セットに応じて第１のバックオフ閾値Ｎminを決定することであって、Ｎminは、正の整数であること、［Ｎmin，ｑ］から初期バックオフ値Ｎを決定することであって、ｑは、第１のデバイスの事前設定されたバックオフ閾値であり、かつｑは、Ｎminより大きい正の整数であること、初期バックオフ値Ｎに応じてクリアチャネルアセスメントＣＣＡバックオフプロセスを実行すること、現在のバックオフ値Ｎcを決定すること、第２の時点を決定することであって、第２の時点は、現在のバックオフ値Ｎcが第１のバックオフ閾値Ｎminと等しい時点であること、および候補時点セットからターゲット候補時点を決定することであって、ターゲット候補時点は、第２の時点より早くなく、ターゲット候補時点は、第３の時点より早く、かつ第３の時点は、現在のバックオフ値Ｎcが０と等しい時点であることを行うように特に構成され、送信ユニットは、ターゲット候補時点からチャネル上でデータを送信することを開始するように特に構成される。
【００２５】
第３の態様に関して、第３の態様の第６の可能な実施様態において、第２の決定ユニットは、ターゲット候補時点からクリアチャネルアセスメントＣＣＡバックオフプロセスを実行することを開始するようにさらに構成され、送信ユニットは、ＣＣＡバックオフプロセスの終了時点からチャネル上でデータを送信することを開始するように特に構成される。
【００２６】
第３の態様、または第３の態様の前述の可能な実施形態のいずれか１つに関して、第３の態様の第７の可能な実施様態において、第１の決定ユニットは、チャネル上の事前設定された時点に応じて候補時点セットを決定するように特に構成される。
【００２７】
第４の態様によれば、本発明の実施形態が、第２のデバイスを提供し、第２のデバイスは、第１の決定ユニットと、第２の決定ユニットと、受信ユニットとを含み、第１の決定ユニットは、候補時点セットを決定するように構成され、第２の決定ユニットは、第１の決定ユニットによって決定された候補時点セットにおける各候補時点を決定するように構成され、受信ユニットは、第２の決定ユニットによって決定された各候補時点に応じてチャネル上でデータを受信するように構成される。
【００２８】
第４の態様に関して、第４の態様の第１の可能な実施様態において、受信ユニットは、各候補時点においてチャネル上でチャネル検出を実行して、チャネル上でデータを受信するようにするように特に構成される。
【００２９】
第４の態様に関して、第４の態様の第２の可能な実施様態において、第２の決定ユニットは、各候補時点に応じて各クリアチャネルアセスメントＣＣＡ検出の終了時点を決定するようにさらに構成され、受信ユニットは、各ＣＣＡ検出の終了時点においてチャネル上でチャネル検出を実行して、チャネル上でデータを受信するようにするように特に構成される。
【００３０】
第４の態様、または第４の態様の前述の可能な実施様態のうちのいずれか１つに関して、第４の態様の第３の可能な実施様態において、第１の決定ユニットは、チャネル上の事前設定された時点に応じて候補時点セットを決定するように特に構成される。
【００３１】
第５の態様によれば、本発明の実施形態が、第１のデバイスを提供し、第１のデバイスは、プロセッサと、送信機とを含み、プロセッサは、候補時点セットを決定するように構成され、プロセッサは、プロセッサによって決定された候補時点セットからターゲット候補時点を決定するようにさらに構成され、送信機は、プロセッサによって決定されたターゲット候補時点に応じてチャネル上でデータを送信するように構成される。
【００３２】
第５の態様に関して、第５の態様の第１の可能な実施様態において、プロセッサは、クリアチャネルアセスメントＣＣＡバックオフプロセスの終了時点に応じて候補時点セットからターゲット候補時点を決定するように特に構成され、送信機は、ターゲット候補時点からチャネル上でデータを送信することを開始するように特に構成される。
【００３３】
第５の態様の第１の可能な実施方式に関して、第５の態様の第２の可能な実施様態において、プロセッサは、候補時点セットからターゲット候補時点を決定するように特に構成され、ターゲット候補時点は、ＣＣＡバックオフプロセスの終了時点と等しい、または終了時点より後である。
【００３４】
第５の態様の第２の可能な実施方式に関して、第５の態様の第３の可能な実施様態において、送信機は、ターゲット候補時点が、ＣＣＡバックオフプロセスの終了時点より後である候補時点セットにおける候補時点である場合、ＣＣＡバックオフプロセスの終了時点からチャネル上でパディングデータを送信することを開始すること、およびターゲット候補時点からチャネル上でパディングデータを送信することを停止することを行うようにさらに構成され、ターゲット候補時点は、ＣＣＡバックオフプロセスの終了時点より後である候補時点セットにおける第１の候補時点である。
【００３５】
第５の態様の第２の可能な実施方式に関して、第５の態様の第４の可能な実施様態において、プロセッサは、ターゲット候補時点が、ＣＣＡバックオフプロセスの終了時点より後である候補時点セットにおける候補時点である場合、ＣＣＡバックオフプロセスの終了時点からＣＣＡ検出を実行することを開始すること、およびターゲット候補時点からＣＣＡ検出を実行することを停止することを行うようにさらに構成され、ターゲット候補時点は、チャネルがアイドルであり、かつＣＣＡバックオフプロセスの終了時点より後である候補時点セットにおける第１の候補時点である。
【００３６】
第５の態様に関して、第５の態様の第５の可能な実施様態において、プロセッサは、候補時点セットに応じて第１のバックオフ閾値Ｎminを決定することであって、Ｎminは、正の整数であること、［Ｎmin，ｑ］から初期バックオフ値Ｎを決定することであって、ｑは、第１のデバイスの事前設定されたバックオフ閾値であり、かつｑは、Ｎminより大きい正の整数であること、初期バックオフ値Ｎに応じてクリアチャネルアセスメントＣＣＡバックオフプロセスを実行すること、現在のバックオフ値Ｎcを決定すること、第２の時点を決定することであって、第２の時点は、現在のバックオフ値Ｎcが第１のバックオフ閾値Ｎminと等しい時点であること、および候補時点セットからターゲット候補時点を決定することであって、ターゲット候補時点は、第２の時点より早くなく、ターゲット候補時点は、第３の時点より早く、かつ第３の時点は、現在のバックオフ値Ｎcが０と等しい時点であることを行うように特に構成され、送信機は、ターゲット候補時点からチャネル上でデータを送信することを開始するように特に構成される。
【００３７】
第５の態様に関して、第５の態様の第６の可能な実施様態において、プロセッサは、ターゲット候補時点からクリアチャネルアセスメントＣＣＡバックオフプロセスを実行することを開始するようにさらに構成され、送信機は、ＣＣＡバックオフプロセスの終了時点からチャネル上でデータを送信することを開始するように特に構成される。
【００３８】
第５の態様、または第５の態様の前述の可能な実施形態のいずれか１つに関して、第５の態様の第７の可能な実施様態において、プロセッサは、チャネル上の事前設定された時点に応じて候補時点セットを決定するように特に構成される。
【００３９】
第６の態様によれば、本発明の実施形態が、第２のデバイスを提供し、第２のデバイスは、プロセッサと、受信機とを含み、プロセッサは、候補時点セットを決定するように構成され、プロセッサは、プロセッサによって決定された候補時点セットにおける各候補時点を決定するようにさらに構成され、受信機は、プロセッサによって決定された各候補時点に応じてチャネル上でデータを受信するように構成される。
【００４０】
第６の態様に関して、第６の態様の第１の可能な実施様態において、受信機は、各候補時点においてチャネル上でチャネル検出を実行して、チャネル上でデータを受信するようにするように特に構成される。
【００４１】
第６の態様に関して、第６の態様の第２の可能な実施様態において、プロセッサは、各候補時点に応じて各クリアチャネルアセスメントＣＣＡ検出の終了時点を決定するようにさらに構成され、受信機は、各ＣＣＡ検出の終了時点においてチャネル上でチャネル検出を実行して、チャネル上でデータを受信するようにするように特に構成される。
【００４２】
第６の態様、または第６の態様の前述の可能な実施様態のうちのいずれか１つに関して、第６の態様の第３の可能な実施様態において、プロセッサは、チャネル上の事前設定された時点に応じて候補時点セットを決定するように特に構成される。
【００４３】
前述の技術的ソリューションにおいて、第１のデバイスがデータを送信する時点は、候補時点セットにおける候補時点に応じて決定される。この事例において、データを受信する対応する第２のデバイスが、候補時点セットにおける候補時点に応じて、データが受信されることができる時点を決定してもよい。すなわち、第２のデバイスは、データが送信されることができ、かつシステムにおいて指定された時点においてだけチャネル検出を実行してよく、他の時点においてチャネル検出を継続的に実行する必要がない。したがって、前述の技術的ソリューションは、チャネル検出中の第２のデバイスの電力消費を低減することができる。
【図面の簡単な説明】
【００４４】
本発明の実施形態における技術的ソリューションをより明確に説明するのに、以下が、本発明の実施形態を説明するのに要求される添付の図面を簡単に説明する。明らかに、以下の説明における添付の図面は、本発明のいくつかの実施形態を示すに過ぎず、当業者は、それでも、独創的な取組みなしにこれらの添付の図面から他の図面を導き出し得る。
【００４５】
【図１】本発明の実施形態によるデータ伝送方法を示す概略流れ図である。
【図２】本発明の実施形態によるデータ伝送方法を示す概略流れ図である。
【図３】本発明の別の実施形態によるデータ伝送方法を示す概略流れ図である。
【図４】本発明の別の実施形態によるデータ伝送方法を示す概略図である。
【図５】本発明の別の実施形態によるデータ伝送方法を示す概略図である。
【図６】本発明の別の実施形態によるデータ伝送方法を示す概略流れ図である。
【図７】本発明の別の実施形態によるデータ伝送方法を示す概略図である。
【図８】本発明の別の実施形態によるデータ伝送方法を示す概略流れ図である。
【図９】本発明の別の実施形態によるデータ伝送方法を示す概略図である。
【図１０】本発明の実施形態による第１のデバイスを示す構造ブロック図である。
【図１１】本発明の実施形態による第２のデバイスを示す構造ブロック図である。
【図１２】本発明の実施形態による第１のデバイスを示す構造ブロック図である。
【図１３】本発明の実施形態による第２のデバイスを示す構造ブロック図である。
【発明を実施するための形態】
【００４６】
以下は、本発明の実施形態における添付の図面を参照して、本発明の実施形態における技術的ソリューションを明確に、かつ完全に説明する。明らかに、説明される実施形態は、本発明の実施形態のうちのいくつかに過ぎないが、すべてではない。独創的な取組みなしに本発明の実施形態に基づいて当業者によって獲得される他のすべての実施形態が、本発明の保護範囲に入るものとする。
【００４７】
本発明の実施形態に含まれるデバイスはすべて、ＬＡＡ−ＬＴＥシステムにおけるデバイスである。より詳細には、本発明の実施形態に含まれるデバイスはすべて、ＬＢＥ動作モードにおいて動作するデバイスである。
【００４８】
本発明の実施形態に含まれるデバイスは、ユーザ機器またはネットワーク側デバイスであることがある。ユーザ機器は、モバイル端末と呼ばれることもあり、例えば、モバイル電話（もしくは「セルラ」電話と呼ばれる）、またはモバイル端末を有するコンピュータである。例えば、ユーザ機器は、ポータブルモバイル装置、ポケットサイズにされたモバイル装置、コンピュータ組込み型のモバイル装置、または車両内モバイル装置であることがあり、本発明において限定されない。ネットワーク側デバイスは、基地局またはアクセスポイント（英語  Ａｃｃｅｓｓ  Ｐｏｉｎｔ、略して「ＡＰ」）であることがあり、本発明において限定されない。
【００４９】
本発明の実施形態における第１のデバイス、第２のデバイス、および第３のデバイスにおける「第１の」、「第２の」、「第３の」は、デバイスを区別するようにだけ意図され、デバイスを限定するようには意図されない。
【００５０】
本発明をよりよく理解するのに、本発明の実施形態に含まれる関連する要素が第１に説明される。
【００５１】
クリアチャネルアセスメント（英語  Ｃｌｅａｒ  Ｃｈａｎｎｅｌ  Ａｓｓｅｓｓｍｅｎｔ、略して「ＣＣＡ」）バックオフ（英語  ｂａｃｋｏｆｆ）
デバイスは、デバイスがデータを送信するチャネルリソースを占有する前に、ＣＣＡバックオフを実行する。具体的には、デバイスは、初期バックオフ値として１からｑまでの整数Ｎをランダムに選択し、ｑは、デバイスの事前設定されたバックオフ閾値と呼ばれることがあり、かつｑは、事前設定された１より大きい正の整数である。デバイスが、ＣＣＡ検出を実行する際、チャネルリソースが占有されていないと決定した場合、Ｎから１だけ引かれる。デバイスが、ＣＣＡ検出を実行する際、チャネルリソースが占有されていると決定した場合、バックオフ値は、変更されないままに保たれる。各ＣＣＡ検出の後に決定されるバックオフ値は、現在のバックオフ値Ｎcと呼ばれることがある。デバイスが、初期バックオフ値およびＣＣＡ検出に応じて初期バックオフ値を漸進的に低減するプロセスは、ＣＣＡバックオフと呼ばれることがある。
【００５２】
ＣＣＡバックオフの結果
ＣＣＡバックオフの結果は、デバイスがＣＣＡ検出を実行した後に獲得される現在のバックオフ値Ｎcを参照する。
【００５３】
バックオフ条件
デバイスがＣＣＡ検出を実行した後に決定される現在のバックオフ値Ｎcが０である場合、ＣＣＡバックオフの結果は、バックオフ条件を満たすと見なされ得る。デバイスがＣＣＡ検出を実行した後に決定される現在のバックオフ値Ｎcが０より大きい正の整数である場合、ＣＣＡバックオフの結果は、バックオフ条件を満たさないと見なされ得る。
【００５４】
例えば、デバイスが、Ｎ＝１２であると決定し、ＣＣＡバックオフを実行することを開始する。デバイスが、第１のＣＣＡ検出を実行した後、チャネルリソースが占有されていると決定した場合、デバイスは、第１のＣＣＡ検出の後に獲得される現在のバックオフ値が、Ｎc（１）＝Ｎ＝１２であると決定する。デバイスが、第２のＣＣＡ検出を実行した後、チャネルリソースが占有されていないと決定した場合、デバイスは、第２のＣＣＡ検出の後に獲得される現在のバックオフ値が、Ｎc（２）＝Ｎc（１）−１＝１１であると決定する。すなわち、第ｉのＣＣＡ検出が実行された後、チャネルリソースが占有されていると決定された場合、第ｉのＣＣＡ検出の後に獲得される現在のバックオフ値は、Ｎc（ｉ）＝Ｎc（ｉ−１）である。Ｎc（ｉ−１）は、第（ｉ−１）のＣＣＡ検出の後に得られる現在のバックオフ値である。第ｉのＣＣＡ検出が実行された後、チャネルリソースが占有されていないと決定された場合、第ｉのＣＣＡ検出の後に得られる現在のバックオフ値は、Ｎc（ｉ）＝Ｎc（ｉ−１）−１であり、ｉは、１より大きい正の整数であり、Ｎc（０）＝Ｎである。第ｊのＣＣＡ検出の後に得られる現在のバックオフ値がＮc（ｊ）＝０である場合、第ｊのＣＣＡ検出の後に得られる現在のバックオフ値Ｎcは、バックオフ条件を満たすと決定され得る。第ｊのＣＣＡ検出の終了時点は、ＣＣＡバックオフプロセスの終了時点である。ｊは、Ｎ以上の正の整数であることが理解され得る。すなわち、デバイスは、少なくともＮのＣＣＡ検出を実行する必要がある。
【００５５】
本発明の実施形態において述べられるチャネルまたはチャネルリソースは、アンライントセンススペクトル上のチャネルリソースであることがあり、またはライセンストスペクトル上のチャネルリソースであることがある。
【００５６】
図１は、本発明の実施形態によるデータ伝送方法の概略流れ図である。図１に示される方法は、第１のデバイスによって実行され、第１のデバイスは、ＬＡＡ−ＬＴＥシステムにおけるデバイスであり得る。
【００５７】
１０１  第１のデバイスが、候補時点セットを決定する。
【００５８】
１０２  第１のデバイスが、候補時点セットからターゲット候補時点を決定する。
【００５９】
１０３  第１のデバイスが、ターゲット候補時点に応じてチャネル上でデータを送信する。
【００６０】
図１に示される方法によれば、第１のデバイスがデータを送信する時点が、候補時点セットにおける候補時点に応じて決定される。この事例において、データを受信する対応する第２のデバイスが、候補時点セットにおける候補時点に応じて、データが受信されることができる時点を決定してもよい。すなわち、第２のデバイスは、データが送信されることができ、かつシステムにおいて指定された時点においてだけチャネル検出を実行してよく、他の時点においてチャネル検出を継続的に実行する必要がない。したがって、図１に示される方法は、チャネル検出中の第２のデバイスの電力消費を低減することができる。
【００６１】
第１のデバイスは、複数の様態で候補時点セットを決定してよく、このことは、本発明において限定されない。例えば、候補時点セットは、事前構成され、かつ第１のデバイスに記憶されてよい。この事例において、第１のデバイスは、候補時点セットを別のデバイスに送信してよい。さらに別の例に関して、候補時点セットは、第１のデバイスによって決定されてよい。この事例において、第１のデバイスは、候補時点セットを別のデバイスに送信してよい。さらに別の例に関して、候補時点セットは、第３のデバイスによって第１のデバイスおよび第２のデバイスに送信されてよい。第２のデバイスは、第１のデバイスによって送信されたデータを受信するデバイスである。さらに別の例に関して、候補時点セットは、第２のデバイスによって送信されたフィードバック情報に応じて第１のデバイスによって決定される。第２のデバイスは、第１のデバイスによって送信されたデータを受信するデバイスである。
【００６２】
候補時点セットは、柔軟に構成され得る。例えば、候補時点セットは、周期的であること、または非周期的であることがある。候補時点セットは、事前設定された時点のグループを使用することによって表現されることがあり、または候補時点セットは、式を使用することによって表現されることがある。
【００６３】
任意選択で、実施形態において、第１のデバイスにより、候補時点セットからターゲット候補時点を決定することは、第１のデバイスにより、ＣＣＡバックオフプロセスの終了時点に応じて候補時点セットからターゲット候補時点を決定することを含む。この事例において、第１のデバイスにより、ターゲット候補時点に応じてデータを第２のデバイスに送信することは、第１のデバイスにより、ターゲット候補時点からチャネル上でデータを送信することを開始することを含む。
【００６４】
任意選択で、実施形態において、第１のデバイスにより、ＣＣＡバックオフプロセスの終了時点に応じて候補時点セットからターゲット候補時点を決定することは、第１のデバイスにより、候補時点セットからターゲット候補時点を決定することであって、ターゲット候補時点は、ＣＣＡバックオフプロセスと等しい、またはそれより後であることを含む。
【００６５】
さらに、候補時点セットが、クリアチャネルアセスメントバックオフプロセスの終了時点を含む場合、ターゲット候補時点は、クリアチャネルアセスメントバックオフプロセスの終了時点と等しいことがある。候補時点セットが、クリアチャネルアセスメントバックオフプロセスの終了時点を含まない場合、ターゲット候補時点は、クリアチャネルアセスメントバックオフプロセスの終了時点より後である候補時点セットにおける候補時点であり得る。
【００６６】
任意選択で、実施形態において、ターゲット候補時点が、クリアチャネルアセスメントバックオフプロセスの終了時点より後である候補時点セットにおける候補時点である場合、方法は、第１のデバイスにより、クリアチャネルアセスメントバックオフプロセスの終了時点からチャネル上でパディング（英語  ｐａｄｄｉｎｇ）データを送信することを開始すること、および第１のデバイスにより、ターゲット候補時点からチャネル上でパディングデータを送信することを停止することをさらに含む。ターゲット候補時点は、クリアチャネルアセスメントバックオフプロセスの終了時点より後である候補時点セットにおける第１の候補時点である。このようにして、パディングデータを送信することによって、第１のデバイスは、チャネルリソースが別のデバイスによって占有されることを防止することがある。
【００６７】
任意選択で、別の実施形態において、ターゲット候補時点が、ＣＣＡバックオフプロセスの終了時点より後である候補時点セットにおける候補時点である場合、方法は、第１のデバイスにより、ＣＣＡバックオフプロセスの終了時点からＣＣＡ検出を実行することを開始すること、および第１のデバイスにより、ターゲット候補時点からＣＣＡ検出を実行することを停止することであって、ターゲット候補時点は、チャネルがアイドルであり、かつＣＣＡバックオフプロセスの終了時点より後である候補時点セットにおける第１の候補時点であることをさらに含む。言い換えると、ターゲット候補時点は、ＣＣＡバックオフプロセスの終了時点より後の候補時点であり、チャネルは、候補時点においてアイドルである。
【００６８】
任意選択で、別の実施形態において、第１のデバイスにより、候補時点セットからターゲット候補時点を決定することは、第１のデバイスにより、候補時点セットに応じて第１のバックオフ閾値Ｎminを決定することであって、Ｎminは、正の整数であること、第１のデバイスにより、［Ｎmin，ｑ］から初期バックオフ値Ｎを決定することであって、ｑは、第１のデバイスの事前設定されたバックオフ閾値であり、かつｑは、Ｎminより大きい正の整数であること、第１のデバイスにより、初期バックオフ値Ｎに応じてＣＣＡバックオフプロセスを実行すること、第１のデバイスにより、現在のバックオフ値Ｎcを決定すること、第１のデバイスにより、第２の時点を決定することであって、第２の時点は、現在のバックオフ値Ｎcが第１のバックオフ閾値Ｎminと等しい時点であること、および第１のデバイスにより、候補時点セットからターゲット候補時点を決定することであって、ターゲット候補時点は、第２の時点より早くなく、ターゲット候補時点は、第３の時点より早く、かつ第３の時点は、現在のバックオフ値Ｎcが０と等しい時点であることを含む。第１のデバイスにより、ターゲット候補時点に応じてチャネル上でデータを送信することは、第１のデバイスにより、ターゲット候補時点からチャネル上でデータを送信することを開始することを含む。ターゲット候補時点は、第２の時点より後である候補時点セットにおける第１の候補時点であり得る。
【００６９】
任意選択で、実施形態において、第１のデバイスにより、ターゲット候補時点に応じてチャネル上でデータを第２のデバイスに送信することは、第１のデバイスにより、ターゲット候補時点からＣＣＡバックオフプロセスを実行することを開始すること、および第１のデバイスにより、ＣＣＡバックオフプロセスの終了時点からチャネル上でデータを送信することを開始することを含む。
【００７０】
さらに、第１のデバイスにより、候補時点セットを決定することは、第１のデバイスにより、チャネル上の事前設定された時点に応じて候補時点セットを決定することを含む。チャネル上の事前設定された時点は、以下の時点、すなわち、チャネル上の直交周波数分割多重（英語  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、略して「ＯＦＤＭ」）シンボルの開始時点、チャネル上のＯＦＤＭシンボルの各１／Ｋに対応する時点、チャネル上のタイムスロットの開始時点、チャネル上のデータサブフレームの開始時点、チャネル上のデータフレームの開始時点、またはチャネル上のＭ個のサンプリング周期の開始時点のうちのいずれか１つであり、Ｋは、１より大きい正の整数であり、かつＭは、正の整数である。
【００７１】
例えば、事前設定された時点が、チャネル上のＭのサンプリング周期の開始時点である場合、候補時点セットにおける第１の候補時点は、システムフレーム番号がｎであるデータフレームの開始時点であり、ｎは、正の整数である、またはｎは、０と等しいことがある。候補時点セットにおける他の候補時点は、チャネル上のＭのサンプリング周期の開始時点である。例えば、Ｍは、５６０または６２４と等しいことがある。
【００７２】
別の例に関して、事前設定された時点が、チャネル上のＯＦＤＭシンボルの各１／Ｋに対応する時点である場合、Ｋの値は、２または３であり得る。すなわち、チャネル上のＯＦＤＭシンボルの各１／２または各１／３が、候補時点セットにおける候補時点として使用される。
【００７３】
無論、候補時点セットにおける候補時点は、チャネル上のサブフレームの複数の時点であり得る。１つのサブフレームにおける候補時点、および１つのサブフレームにおける候補時点の数量は、サンプリング周期と関係付けられていることがある。例えば、５７６のサンプリング周期における３０の候補時点、および５６０のサンプリング周期における２４の候補時点が、１つのサブフレームにおいて事前設定され得る。５７６のサンプリング周期における３０の候補時点は、サブフレームにおいて合計で３０の候補時点が設定されることを意味し、各候補時点は、５７６のサンプリング周期のうちの１つの開始時点である。同様に、５６０のサンプリング周期における２４の候補時点は、サブフレームにおいて合計で２４の候補時点が設定されることを意味し、各候補時点は、５６０のサンプリング周期のうちの１つの開始時点である。すなわち、サブフレームは、合計で５４の候補時点を含み得る。５４の候補時点のうちの３０の候補時点は、５７６のサンプリング周期の開始時点であり、５４の候補時点のうちの２４の候補時点は、５６０のサンプリング周期の開始時点である。５４の候補時点の配列順序は、限定されない。別の例に関して、６４０のサンプリング周期における９の候補時点、および６２４のサンプリング周期における４０の候補時点が、１つのサブフレームにおいて事前設定され得る。この事例において、サブフレームは、合計で４９の候補時点を含む。４９の候補時点のうちの９の候補時点は、６４０のサンプリング周期の開始時点であり、４９の候補時点のうちの４０の候補時点は、６２４のサンプリング周期の開始時点である。
【００７４】
図２は、本発明の実施形態によるデータ伝送方法の概略流れ図である。図２に示される方法は、第２のデバイスによって実行され、第２のデバイスは、ＬＡＡ−ＬＴＥシステムにおけるデバイスであり得る。
【００７５】
２０１  第２のデバイスが、候補時点セットを決定する。
【００７６】
２０２  第２のデバイスが、候補時点セットにおける各候補時点を決定する。
【００７７】
２０３  第２のデバイスが、各候補時点に応じてチャネル上でデータを受信する。
【００７８】
図２に示される方法によれば、第２のデバイスは、候補時点セットにおける各候補時点に応じて、データが受信されることができる時点を決定してよい。すなわち、第２のデバイスは、データを送信することができる、システムにおいて指定された時点においてだけチャネル検出を実行してよく、他の時点においてチャネル検出を継続的に実行する必要がない。したがって、チャネル検出中の第２のデバイスの電力消費が低減される。第２のデバイスによって受信されるデータは、図１に示される第１のデバイスによって送信され得る。
【００７９】
図１に示される実施形態と同様に、第２のデバイスは、複数の様態で候補時点セットを獲得してよく、このことは、本発明において限定されない。例えば、候補時点セットは、事前構成され、かつ第１のデバイスおよび第２のデバイスに記憶されてよい。別の例に関して、候補時点セットは、事前構成され、かつ第１のデバイスに記憶されてよい。この事例において、第２のデバイスは、第１のデバイスによって送信された候補時点セットを受信してよい。さらに別の例に関して、候補時点セットは、第１のデバイスによって決定されてよい。この事例において、第１のデバイスは、送信時点シーケンスを第２のデバイスに送信してよい。さらに別の例に関して、第２のデバイスが、候補時点セットを示すのに使用されるフィードバック情報を決定し、かつフィードバック情報を、データを送信する第１のデバイスに送信してよい。
【００８０】
候補時点セットは、柔軟に構成され得る。例えば、候補時点セットは、周期的であること、または非周期的であることがある。候補時点セットは、事前設定された時点のグループを使用することによって表現されることがあり、または候補時点セットは、式を使用することによって表現されることがある。このことは、本発明において限定されない。
【００８１】
任意選択で、実施形態において、第２のデバイスにより、各候補時点に応じてチャネル上でデータを受信することは、第２のデバイスにより、各候補時点においてチャネル上でチャネル検出を実行して、チャネル上でデータを受信するようにすることを含む。
【００８２】
任意選択で、実施形態において、第２のデバイスにより、各候補時点に応じてチャネル上でデータを受信することは、第２のデバイスにより、各候補時点に応じて各ＣＣＡ検出の終了時点を決定すること、および第２のデバイスにより、各ＣＣＡ検出の終了時点においてチャネル上でチャネル検出を実行して、チャネル上でデータを受信するようにすることを含む。
【００８３】
さらに、第２のデバイスにより、候補時点セットを決定することは、第２のデバイスにより、チャネル上の事前設定された時点に応じて候補時点セットを決定することを含む。
【００８４】
さらに、第２のデバイスにより、候補時点セットを決定することは、第２のデバイスにより、チャネル上の事前設定された時点に応じて候補時点セットを決定することを含む。チャネル上の事前設定された時点は、以下の時点、すなわち、チャネル上の直交周波数分割多重（英語  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、略して「ＯＦＤＭ」）シンボルの開始時点、チャネル上のＯＦＤＭシンボルの各１／Ｋに対応する時点、チャネル上のタイムスロットの開始時点、チャネル上のデータサブフレームの開始時点、チャネル上のデータフレームの開始時点、またはチャネル上のＭ個のサンプリング周期の開始時点のうちのいずれか１つであり、Ｋは、１より大きい正の整数であり、かつＭは、正の整数である。
【００８５】
例えば、事前設定された時点が、チャネル上のＭのサンプリング周期の開始時点である場合、候補時点セットにおける第１の候補時点は、システムフレーム番号がｎであるデータフレームの開始時点であり、ｎは、正の整数である、またはｎは、０と等しいことがある。候補時点セットにおける他の候補時点は、チャネル上のＭのサンプリング周期の開始時点である。例えば、Ｍは、５６０または６２４と等しいことがある。
【００８６】
別の例に関して、事前設定された時点が、チャネル上のＯＦＤＭシンボルの各１／Ｋに対応する時点である場合、Ｋの値は、２または３であり得る。すなわち、チャネル上のＯＦＤＭシンボルの各１／２または各１／３が、候補時点セットにおける候補時点として使用される。
【００８７】
無論、候補時点セットにおける候補時点は、チャネル上のサブフレームの複数の時点であり得る。１つのサブフレームにおける候補時点、および１つのサブフレームにおける候補時点の数量は、サンプリング周期と関係付けられていることがある。例えば、５７６のサンプリング周期における３０の候補時点、および５６０のサンプリング周期における２４の候補時点が、１つのサブフレームにおいて事前設定され得る。５７６のサンプリング周期における３０の候補時点は、サブフレームにおいて合計で３０の候補時点が設定されることを意味し、各候補時点は、５７６のサンプリング周期のうちの１つの開始時点である。同様に、５６０のサンプリング周期における２４の候補時点は、サブフレームにおいて合計で２４の候補時点が設定されることを意味し、各候補時点は、５６０のサンプリング周期のうちの１つの開始時点である。すなわち、サブフレームは、合計で５４の候補時点を含み得る。５４の候補時点のうちの３０の候補時点は、５７６のサンプリング周期の開始時点であり、５４の候補時点のうちの２４の候補時点は、５６０のサンプリング周期の開始時点である。５４の候補時点の配列順序は、限定されない。別の例に関して、６４０のサンプリング周期における９の候補時点、および６２４のサンプリング周期における４０の候補時点が、１つのサブフレームにおいて事前設定され得る。この事例において、サブフレームは、合計で４９の候補時点を含む。４９の候補時点のうちの９の候補時点は、６４０のサンプリング周期の開始時点であり、４９の候補時点のうちの４０の候補時点は、６２４のサンプリング周期の開始時点である。
【００８８】
本発明を理解するのを助けるのに、以下は、特定の実施形態に関して本発明を説明する。後段に説明される特定の実施形態は、本発明を理解するのを助けるようにだけ意図され、本発明を限定するようには意図されないことに留意されたい。
【００８９】
図３は、本発明の別の実施形態によるデータ伝送方法の概略流れ図である。
【００９０】
３０１  第１のデバイスが、ＣＣＡバックオフを実行し、かつＣＣＡバックオフプロセスの終了時点を決定し、ＣＣＡバックオフプロセスの終了時点は、ＣＣＡバックオフの結果がバックオフ条件を満たす時点である。
【００９１】
特に、第１のデバイスがＣＣＡバックオフを実行することは、以下を含む。すなわち、第１のデバイスが、ＣＣＡに応じて、チャネルが占有されていると決定する。第１のデバイスが、初期バックオフ値を決定する。第１のデバイスが、ＣＣＡバックオフの結果を決定し、かつＣＣＡバックオフの結果に応じて、バックオフ条件が満たされるかどうかを決定する。第１のデバイスが、ＣＣＡバックオフの結果に応じて、バックオフ条件が満たされると決定した場合、第１のデバイスは、ＣＣＡバックオフを完了する。第１のデバイスが、ＣＣＡバックオフの結果に応じて、バックオフ条件が満たされないと決定した場合、第１のデバイスは、ＣＣＡバックオフを実行することを継続する。
【００９２】
３０２  第１のデバイスが、候補時点セットがＣＣＡバックオフプロセスの終了時点と同一の時点を含むかどうかを決定する。
【００９３】
特に、第１のデバイスが、候補時点セットがＣＣＡバックオフプロセスの終了時点と同一の時点を含むと決定した場合、第１のデバイスは、ＣＣＡバックオフプロセスの終了時点がターゲット候補時点であると決定してよい。第１のデバイスが、候補時点セットがＣＣＡバックオフプロセスの終了時点と同一の時点を含まないと決定した場合、第１のデバイスは、ＣＣＡバックオフプロセスの終了時点より後である候補時点セットにおける候補時点からターゲット候補時点を選択してよい。ターゲット候補時点は、ＣＣＡバックオフプロセスの終了時点より後の候補時点であり得る。
【００９４】
任意選択で、実施形態において、ターゲット候補時点が、ＣＣＡバックオフプロセスの終了時点より後である場合、方法は、ステップ３０３と、ステップ３０４とをさらに含む。
【００９５】
３０３  第１のデバイスが、ＣＣＡバックオフプロセスの終了時点から、チャネルを使用することによってパディング（英語  ｐａｄｄｉｎｇ）データを送信することを開始する。
【００９６】
３０４  第１のデバイスが、ターゲット候補時点からパディングデータを送信することを停止し、ターゲット候補時点は、ＣＣＡバックオフプロセスの終了時点より後である候補時点セットにおける第１の候補時点である。
【００９７】
すなわち、パディングデータを送信することによって、第１のデバイスは、ＣＣＡバックオフプロセスの終了時点からチャネルを占有する。したがって、第１のデバイスは、ターゲット候補時点は、クリアチャネルアセスメントバックオフプロセスの終了時点より後の第１の候補時点であると決定してよい。
【００９８】
ステップ３０３およびステップ３０４が実行される場合、第１のデバイスは、チャネルを占有して、別のデバイスがチャネルを先取りすることを防止することがある。
【００９９】
任意選択で、別の実施形態において、ターゲット候補時点が、ＣＣＡバックオフプロセスの終了時点より後である場合、方法は、ステップ３０５と、ステップ３０６とをさらに含むことがある。
【０１００】
３０５  第１のデバイスが、ＣＣＡバックオフプロセスの終了時点からＣＣＡ検出を実行することを開始する。
【０１０１】
３０６  第１のデバイスが、ターゲット候補時点からＣＣＡ検出を実行することを停止し、ターゲット候補時点は、チャネルがアイドルであり、かつＣＣＡバックオフプロセスの終了時点より後である候補時点セットにおける第１の候補時点である。
【０１０２】
ステップ３０５およびステップ３０６は、現在のバックオフ値が０と等しい後、第１のデバイスが、チャネルがアイドルであり、かつＣＣＡバックオフプロセスの終了時点より後である第１の候補時点までＣＣＡ検出を実行することを継続することであると見なされ得る。すなわち、第１のデバイスが、ＣＣＡバックオフプロセスの終了時点より後の第１の候補時点においてチャネルが占有されていると決定した場合、第１のデバイスは、チャネルがアイドルであり、かつＣＣＡバックオフプロセスの終了時点より後である第１の候補時点までＣＣＡ検出を実行することを継続する。
【０１０３】
３０７  第１のデバイスが、ターゲット候補時点からチャネル上でデータを第２のデバイスに送信することを開始する。
【０１０４】
３０８  第２のデバイスが、候補時点セットにおける各候補時点を決定する。
【０１０５】
３０９  第２のデバイスが、各候補時点においてチャネル上でチャネル検出を実行して、チャネル上でデータを受信するようにする。
【０１０６】
第１のデバイスは、各送信時点シーケンスにおいて示される各時点からデータを第２のデバイスに送信することを開始しないことがあるが、第２のデバイスは、各送信時点シーケンスにおいて示される各時点からチャネル検出を実行することを開始することが理解され得る。したがって、ステップ３０８およびステップ３０９は、ステップ３０１からステップ３０７のいずれか１つの前または後に実行されてよい。
【０１０７】
図３に示される方法によれば、第１のデバイスがデータを送信する時点は、事前設定された候補時点セットにおける候補時点である。第２のデバイスが、候補時点セットにおける候補時点においてだけチャネル検出を実行することを開始することもして、データを受信するようにする。このようにして、第２のデバイスは、チャネル検出を継続的に実行することを必要とすることなしに、第１のデバイスによって送信されたデータを正確に受信することができる。この事例において、データの受信中の第２のデバイスの電力消費が大幅に低減される。
【０１０８】
図４は、本発明の別の実施形態によるデータ伝送方法の概略図である。特に、図４に示されるシーケンス図は、図３に示されるデータ伝送方法の実施形態による概略図である。
【０１０９】
図４に示される時点ｔ１、ｔ２、ｔ５、およびｔ６は、候補時点セットにおける別々に４つの連続的な候補時点である。言い換えると、４つの時点ｔ１、ｔ２、ｔ５、およびｔ６は、データが送信され得る時点である。したがって、第２のデバイスが、４つの時点においてチャネル検出を実行して、データを受信する準備をするようにすることがある。第１のデバイスが、時点ｔ３からＣＣＡバックオフを実行することを開始する。時点ｔ４は、第１のデバイスのＣＣＡバックオフの結果がバックオフ条件を満たす時点である。時点ｔ４は、候補時点ではない。この事例において、第１のデバイスが、時点ｔ４から、チャネルを使用することによってパディングデータを送信することを開始する。時点ｔ５は、候補時点セットにおける候補時点である。したがって、時点ｔ５から、第１のデバイスは、パディングデータを送信することを停止し、チャネル上でデータを送信することを開始する。
【０１１０】
図５は、本発明の別の実施形態によるデータ伝送方法の概略図である。特に、図５に示されるシーケンス図は、図３に示されるデータ伝送方法の別の実施形態による概略図である。
【０１１１】
図５に示される時点ｔ１、ｔ２、ｔ５、およびｔ６は、候補時点セットにおける別々に４つの連続的な候補時点である。言い換えると、４つの時点ｔ１、ｔ２、ｔ５、およびｔ６は、データが送信され得る時点である。したがって、第２のデバイスが、４つの時点においてチャネル検出を実行して、データを受信する準備をするようにすることがある。第１のデバイスが、時点ｔ３からＣＣＡバックオフを実行することを開始する。時点ｔ４は、第１のデバイスのＣＣＡバックオフの結果がバックオフ条件を満たす時点である。時点ｔ４は、候補時点ではない。この事例において、第１のデバイスが、時点ｔ４からＣＣＡ検出を実行することを開始する。時点ｔ４から時点ｔ５までのＣＣＡ検出に応じて、チャネルが占有されていないことが見出された場合、第１のデバイスは、時点ｔ５から、チャネルを使用することによってデータを送信することを開始することがある。図５に示されるＣＣＡ検出は、時点ｔ４から時点ｔ５までのすべてのＣＣＡ検出を参照することが理解され得る。
【０１１２】
図６は、本発明の別の実施形態によるデータ伝送方法の概略流れ図である。
【０１１３】
６０１  第１のデバイスが、候補時点セットに応じて第１のバックオフ閾値Ｎminを決定し、Ｎminは、正の整数である。
【０１１４】
特に、第１のデバイスは、以下の式を使用することによって第１のバックオフ閾値Ｎminを決定することがある。すなわち、
【０１１５】
【数１】
0006491346.tif 000002
【０１１６】
シンボル
【０１１７】
【数２】
0006491346.tif 000003
【０１１８】
は、端数切上げを表し、Δtは、候補時点セットにおける２つの候補時点間の最大時間間隔を表し、かつΔCCAは、ＣＣＡ検出のタイムスロット持続時間を表す。
【０１１９】
６０２  第１のデバイスが、［Ｎmin，ｑ］から初期バックオフ値Ｎを決定し、ｑは、第１のデバイスの事前設定されたバックオフ閾値であり、かつｑは、Ｎminより大きい正の整数である。
【０１２０】
６０３  第１のデバイスが、初期バックオフ値Ｎに応じてＣＣＡバックオフプロセスを実行する。
【０１２１】
６０４  第１のデバイスが、バックオフが［０，Ｎmin］の範囲内に低下した場合、候補時点セットからターゲット候補時点を決定する。
【０１２２】
特に、第１のデバイスは、第２の時点を決定することがあり、第２の時点は、現在のバックオフ値Ｎcが第１のバックオフ閾値Ｎminと等しい時点である。第１のデバイスは、第２の時点より後であり、かつ第２の時点より早くない候補時点セットにおける第１の候補時点をターゲット候補時点として決定してよい。ターゲット候補時点において、チャネルは、アイドルである。式１．１によれば、現在のバックオフ値Ｎcが、バックオフ中にＮminから０に変化する時間周期は、候補時点セットにおける少なくとも１つの候補時点を含む。したがって、第１のデバイスは、候補時点セットからターゲット候補時点を決定することがある。無論、ターゲット候補時点は、第３の時点より早く、かつ第３の時点は、現在のバックオフ値Ｎcが０と等しい時点である。
【０１２３】
６０５  第１のデバイスが、決定されたターゲット候補時点からチャネル上でデータを第２のデバイスに送信することを開始する。
【０１２４】
６０６  第２のデバイスが、候補時点セットにおける各時点を決定する。
【０１２５】
６０７  第２のデバイスが、各候補時点においてチャネル上でチャネル検出を実行して、チャネル上でデータを受信するようにする。
【０１２６】
第１のデバイスは、各候補時点からデータを第２のデバイスに送信することを開始しないことがあるが、第２のデバイスは、各候補時点からチャネル検出を実行することを開始することが理解され得る。したがって、ステップ６０６およびステップ６０７は、ステップ６０１からステップ６０５のいずれか１つの前または後に実行されてよい。
【０１２７】
図６に示される方法によれば、第１のデバイスがデータを送信する時点は、事前設定された候補時点セットにおける候補時点である。第２のデバイスが、候補時点セットにおける候補時点においてだけチャネル検出を実行することも開始して、データを受信するようにする。このようにして、第２のデバイスは、チャネル検出を継続的に実行することを必要とすることなしに、第１のデバイスによって送信されたデータを正確に受信することができる。この事例において、データの受信中の第２のデバイスの電力消費が大幅に低減される。
【０１２８】
図７は、本発明の別の実施形態によるデータ伝送方法の概略図である。特に、図７に示されるシーケンス図は、図６に示されるデータ伝送方法による概略図である。
【０１２９】
図７に示される時点ｔ１、ｔ３、およびｔ５は、候補時点セットにおける３つの連続的な候補時点である。言い換えると、３つの時点ｔ１、ｔ３、およびｔ５は、データが送信され得る時点である。したがって、第２のデバイスが、３つの時点においてチャネル検出を実行して、データを受信する準備をするようにすることがある。時点ｔ２は、第１のデバイスがＣＣＡバックオフを実行することを開始する時点である。時点ｔ２において、第１のデバイスの現在のバックオフ値Ｎcは、初期バックオフ値Ｎと等しい、時点ｔ４は、現在のバックオフ値ＮcがＮminと等しい時点である。第１のデバイスが、現在のバックオフ値Ｎcが０と等しいまでＣＣＡバックオフを実行することを継続した場合、現在のバックオフ値が０と等しい時点は、時点ｔ６である。第１のデバイスは、時点ｔ４の後の第１の候補時点から、チャネルを使用することによってデータを送信することを開始することがあることが見て取られ得る。さらに、第１のデバイスは、ＣＣＡバックオフの結果がＮcが０と等しいことになる前にデータを送信することを開始する。
【０１３０】
図８は、本発明の別の実施形態によるデータ伝送方法の概略流れ図である。
【０１３１】
８０１  第１のデバイスが、候補時点セットからターゲット候補時点を決定する。
【０１３２】
８０２  第１のデバイスが、ターゲット候補時点からＣＣＡバックオフを実行することを開始する。
【０１３３】
８０３  第１のデバイスが、ＣＣＡバックオフの結果がバックオフ条件を満たす時点からチャネル上でデータを第２のデバイスに送信することを開始する。
【０１３４】
８０４  第２のデバイスが、候補時点セットにおける各候補時点を決定する。
【０１３５】
８０５  第２のデバイスが、各候補時点に応じて各ＣＣＡ検出の終了時点を決定する。
【０１３６】
各候補時点は、ＣＣＡバックオフの開始時点であることがあり、かつＣＣＡ検出の持続時間は知られているため、第２のデバイスは、各候補時点に応じて各ＣＣＡ検出の終了時点を決定してよい。
【０１３７】
８０６  第２のデバイスが、各ＣＣＡ検出の終了時点においてチャネル上でチャネル検出を実行して、チャネル上でデータを受信するようにする。
【０１３８】
図８に示される方法によれば、ＣＣＡバックオフが実行されることが開始される時点が、事前設定された候補時点セットに応じて決定され、各ＣＣＡ検出の持続時間は知られている。したがって、各ＣＣＡ検出の終了時点も知られている。第１のデバイスがデータを送信する開始時点は、ＣＣＡ検出の終了時点である。したがって、第２のデバイスは、各ＣＣＡ検出の終了時点においてチャネルリソースをリッスンすることを開始してよい。このようにして、第２のデバイスは、ＣＣＡ検出中にチャネル検出を継続的に実行する必要がない。したがって、第２のデバイスの電力消費が低減される。
【０１３９】
図９は、本発明の別の実施形態によるデータ伝送方法の概略図である。特に、図９に示されるシーケンス図は、図８に示されるデータ伝送方法による概略図である。
【０１４０】
図９に示される時点ｔ１、ｔ３、およびｔ５は、候補時点セットにおける３つの連続的な候補時点である。第２のデバイスが、各候補時点に応じて各ＣＣＡ検出の終了時点を決定し、かつ各ＣＣＡ検出の終了時点においてチャネル検出を実行して、データを受信するようにすることがある。候補時点ｔ１において、チャネルリソースが占有されている。チャネルリソースは、時点ｔ２からアイドルになる。第１のデバイスが、時点ｔ２の後の第１の候補時点（すなわち、時点ｔ３）からＣＣＡバックオフを実行することを開始する。時点ｔ４において、ＣＣＡバックオフの結果が、バックオフ条件を満たす。第１のデバイスが、時点ｔ４からデータを送信することを開始する。
【０１４１】
図１０は、本発明の実施形態による第１のデバイスの構造ブロック図である。図１０に示されるとおり、第１のデバイス１０００は、第１の決定ユニット１００１と、第２の決定ユニット１００２と、送信ユニットと１００３とを含む。
【０１４２】
第１の決定ユニット１００１は、候補時点セットを決定するように構成される。
【０１４３】
第２の決定ユニット１００２は、第１の決定ユニット１００１によって決定された候補時点セットからターゲット候補時点を決定するように構成される。
【０１４４】
送信ユニット１００３は、第２の決定ユニット１００２によって決定されたターゲット候補時点に応じてチャネル上でデータを送信するように構成される。
【０１４５】
図１０に示される第１のデバイス１０００がデータを送信する時点は、候補時点セットにおける候補時点に応じて決定される。この事例において、データを受信する対応するデバイスが、候補時点セットにおける候補時点に応じて、データが受信されることができる時点を決定してもよい。すなわち、データを受信するデバイスは、データが送信されることができ、かつシステムにおいて指定された時点においてだけチャネル検出を実行してよく、他の時点においてチャネル検出を継続的に実行する必要がない。第１のデバイス１０００によれば、チャネル検出中、データを受信するデバイスの電力消費が低減されることができる。
【０１４６】
任意選択で、実施形態において、第２の決定ユニット１００２は、クリアチャネルアセスメントＣＣＡバックオフプロセスの終了時点に応じて候補時点セットからターゲット候補時点を決定するように特に構成される。送信ユニット１００３は、ターゲット候補時点からチャネル上でデータを送信することを開始するように特に構成される。
【０１４７】
さらに、第２の決定ユニット１００２は、候補時点セットからターゲット候補時点を決定するように特に構成され、ターゲット候補時点は、ＣＣＡバックオフプロセスの終了時点と等しい、または終了時点より後である。
【０１４８】
さらに、送信ユニット１００３は、ターゲット候補時点が、ＣＣＡバックオフプロセスの終了時点より後である候補時点セットにおける候補時点である場合、ＣＣＡバックオフプロセスの終了時点からチャネル上でパディングデータを送信することを開始すること、およびターゲット候補時点からチャネル上でパディングデータを送信することを停止することを行うようにさらに構成され、ターゲット候補時点は、ＣＣＡバックオフプロセスの終了時点より後である候補時点セットにおける第１の候補時点である。
【０１４９】
さらに、第２の決定ユニット１００２は、ターゲット候補時点が、ＣＣＡバックオフプロセスの終了時点より後である候補時点セットにおける候補時点である場合、ＣＣＡバックオフプロセスの終了時点からＣＣＡ検出を実行することを開始すること、およびターゲット候補時点からＣＣＡ検出を実行することを停止することを行うようにさらに構成され、ターゲット候補時点は、チャネルがアイドルであり、かつＣＣＡバックオフプロセスの終了時点より後である候補時点セットにおける第１の候補時点である。
【０１５０】
任意選択で、別の実施形態において、第２の決定ユニット１００２は、候補時点セットに応じて第１のバックオフ閾値Ｎminを決定することであって、Ｎminは、正の整数であること、［Ｎmin，ｑ］から初期バックオフ値Ｎを決定することであって、ｑは、第１のデバイスの事前設定されたバックオフ閾値であり、かつｑは、Ｎminより大きい正の整数であること、初期バックオフ値Ｎに応じてクリアチャネルアセスメントＣＣＡバックオフプロセスを実行すること、現在のバックオフ値Ｎcを決定すること、第２の時点を決定することであって、第２の時点は、現在のバックオフ値Ｎcが第１のバックオフ閾値Ｎminと等しい時点であること、および候補時点セットからターゲット候補時点を決定することであって、ターゲット候補時点は、第２の時点より早くなく、ターゲット候補時点は、第３の時点より早く、かつ第３の時点は、現在のバックオフ値Ｎcが０と等しい時点であることを行うように特に構成される。送信ユニット１００３は、ターゲット候補時点からチャネル上でデータを送信することを開始するように特に構成される。
【０１５１】
任意選択で、別の実施形態において、第２の決定ユニット１００２は、ターゲット候補時点からクリアチャネルアセスメントＣＣＡバックオフプロセスを実行することを開始するようにさらに構成される。送信ユニット１００３は、ＣＣＡバックオフプロセスの終了時点からチャネル上でデータを送信することを開始するように特に構成される。
【０１５２】
任意選択で、実施形態において、第１の決定ユニット１００１は、チャネル上の事前設定された時点に応じて候補時点セットを決定するように特に構成される。
【０１５３】
チャネル上の事前設定された時点は、以下の時点、すなわち、チャネル上の直交周波数分割多重（英語  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、略して「ＯＦＤＭ」）シンボルの開始時点、チャネル上のＯＦＤＭシンボルの各１／Ｋに対応する時点、チャネル上のタイムスロットの開始時点、チャネル上のデータサブフレームの開始時点、チャネル上のデータフレームの開始時点、またはチャネル上のＭ個のサンプリング周期の開始時点のうちのいずれか１つであり、Ｋは、１より大きい正の整数であり、かつＭは、正の整数である。
【０１５４】
例えば、事前設定された時点が、チャネル上のＭのサンプリング周期の開始時点である場合、候補時点セットにおける第１の候補時点は、システムフレーム番号がｎであるデータフレームの開始時点であり、ｎは、正の整数である、またはｎは、０と等しいことがある。候補時点セットにおける他の候補時点は、チャネル上のＭのサンプリング周期の開始時点である。例えば、Ｍは、５６０または６２４と等しいことがある。
【０１５５】
別の例に関して、事前設定された時点が、チャネル上のＯＦＤＭシンボルの各１／Ｋに対応する時点である場合、Ｋの値は、２または３であり得る。すなわち、チャネル上のＯＦＤＭシンボルの各１／２または各１／３が、候補時点セットにおける候補時点として使用される。
【０１５６】
無論、候補時点セットにおける候補時点は、チャネル上のサブフレームの複数の時点であり得る。１つのサブフレームにおける候補時点、および１つのサブフレームにおける候補時点の数量は、サンプリング周期と関係付けられていることがある。例えば、５７６のサンプリング周期における３０の候補時点、および５６０のサンプリング周期における２４の候補時点が、１つのサブフレームにおいて事前設定され得る。５７６のサンプリング周期における３０の候補時点は、サブフレームにおいて合計で３０の候補時点が設定されることを意味し、各候補時点は、５７６のサンプリング周期のうちの１つの開始時点である。同様に、５６０のサンプリング周期における２４の候補時点は、サブフレームにおいて合計で２４の候補時点が設定されることを意味し、各候補時点は、５６０のサンプリング周期のうちの１つの開始時点である。すなわち、サブフレームは、合計で５４の候補時点を含み得る。５４の候補時点のうちの３０の候補時点は、５７６のサンプリング周期の開始時点であり、５４の候補時点のうちの２４の候補時点は、５６０のサンプリング周期の開始時点である。５４の候補時点の配列順序は、限定されない。別の例に関して、６４０のサンプリング周期における９の候補時点、および６２４のサンプリング周期における４０の候補時点が、１つのサブフレームにおいて事前設定され得る。この事例において、サブフレームは、合計で４９の候補時点を含む。４９の候補時点のうちの９の候補時点は、６４０のサンプリング周期の開始時点であり、４９の候補時点のうちの４０の候補時点は、６２４のサンプリング周期の開始時点である。
【０１５７】
図１１は、本発明の実施形態による第２のデバイスの構造ブロック図である。図１１に示されるとおり、第２のデバイス１１００は、第１の決定ユニット１１０１と、第２の決定ユニット１１０２と、受信ユニット１１０３とを含む。
【０１５８】
第１の決定ユニット１１０１は、候補時点セットを決定するように構成される。
【０１５９】
第２の決定ユニット１１０２は、第１の決定ユニット１１０１によって決定された候補時点セットにおける各候補時点を決定するように構成される。
【０１６０】
受信ユニット１１０３は、第２の決定ユニット１１０２によって決定された各候補時点に応じてチャネル上でデータを受信するように構成される。
【０１６１】
図１１に示される第２のデバイス１１００は、候補時点セットにおける各候補時点に応じて、データが受信されることができる時点を決定してよい。すなわち、第２のデバイス１１００は、データが送信されることができ、かつシステムにおいて指定された時点においてだけチャネル検出を実行してよく、他の時点においてチャネル検出を継続的に実行する必要がない。したがって、チャネル検出中の第２のデバイス１１００の電力消費が低減される。
【０１６２】
任意選択で、実施形態において、受信ユニット１１０３は、各候補時点においてチャネル上でチャネル検出を実行して、チャネル上でデータを受信するようにするように特に構成される。
【０１６３】
任意選択で、別の実施形態において、第２の決定ユニット１１０２は、各候補時点に応じて各クリアチャネルアセスメントＣＣＡ検出の終了時点を決定するようにさらに構成される。受信ユニット１１０３は、各ＣＣＡ検出の終了時点においてチャネル上でチャネル検出を実行して、チャネル上でデータを受信するようにするように特に構成される。
【０１６４】
任意選択で、実施形態において、第１の決定ユニット１１０１は、チャネル上の事前設定された時点に応じて候補時点セットを決定するように特に構成される。
【０１６５】
チャネル上の事前設定された時点は、以下の時点、すなわち、チャネル上の直交周波数分割多重（英語  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、略して「ＯＦＤＭ」）シンボルの開始時点、チャネル上のＯＦＤＭシンボルの各１／Ｋに対応する時点、チャネル上のタイムスロットの開始時点、チャネル上のデータサブフレームの開始時点、チャネル上のデータフレームの開始時点、またはチャネル上のＭ個のサンプリング周期の開始時点のうちのいずれか１つであり、Ｋは、１より大きい正の整数であり、かつＭは、正の整数である。
【０１６６】
例えば、事前設定された時点が、チャネル上のＭのサンプリング周期の開始時点である場合、候補時点セットにおける第１の候補時点は、システムフレーム番号がｎであるデータフレームの開始時点であり、ｎは、正の整数である、またはｎは、０と等しいことがある。候補時点セットにおける他の候補時点は、チャネル上のＭのサンプリング周期の開始時点である。例えば、Ｍは、５６０または６２４と等しいことがある。
【０１６７】
別の例に関して、事前設定された時点が、チャネル上のＯＦＤＭシンボルの各１／Ｋに対応する時点である場合、Ｋの値は、２または３であり得る。すなわち、チャネル上のＯＦＤＭシンボルの各１／２または各１／３が、候補時点セットにおける候補時点として使用される。
【０１６８】
無論、候補時点セットにおける候補時点は、チャネル上のサブフレームの複数の時点であり得る。１つのサブフレームにおける候補時点、および１つのサブフレームにおける候補時点の数量は、サンプリング周期と関係付けられていることがある。例えば、５７６のサンプリング周期における３０の候補時点、および５６０のサンプリング周期における２４の候補時点が、１つのサブフレームにおいて事前設定され得る。５７６のサンプリング周期における３０の候補時点は、サブフレームにおいて合計で３０の候補時点が設定されることを意味し、各候補時点は、５７６のサンプリング周期のうちの１つの開始時点である。同様に、５６０のサンプリング周期における２４の候補時点は、サブフレームにおいて合計で２４の候補時点が設定されることを意味し、各候補時点は、５６０のサンプリング周期のうちの１つの開始時点である。すなわち、サブフレームは、合計で５４の候補時点を含み得る。５４の候補時点のうちの３０の候補時点は、５７６のサンプリング周期の開始時点であり、５４の候補時点のうちの２４の候補時点は、５６０のサンプリング周期の開始時点である。５４の候補時点の配列順序は、限定されない。別の例に関して、６４０のサンプリング周期における９の候補時点、および６２４のサンプリング周期における４０の候補時点が、１つのサブフレームにおいて事前設定され得る。この事例において、サブフレームは、合計で４９の候補時点を含む。４９の候補時点のうちの９の候補時点は、６４０のサンプリング周期の開始時点であり、４９の候補時点のうちの４０の候補時点は、６２４のサンプリング周期の開始時点である。
【０１６９】
図１２は、本発明の実施形態による第１のデバイスの構造ブロック図である。図１２に示されるとおり、第１のデバイス１２００は、プロセッサ１２０１と、送信機１２０２とを含む。
【０１７０】
プロセッサ１２０１は、候補時点セットを決定するように構成される。
【０１７１】
プロセッサ１２０１は、プロセッサ１２０１によって決定された候補時点セットからターゲット候補時点を決定するようにさらに構成される。
【０１７２】
送信機１２０２は、プロセッサ１２０１によって決定されたターゲット候補時点に応じてチャネル上でデータを送信するように構成される。
【０１７３】
図１２に示される第１のデバイス１２００がデータを送信する時点は、候補時点セットにおける候補時点に応じて決定される。この事例において、データを受信する対応するデバイスが、候補時点セットにおける候補時点に応じて、データが受信されることができる時点を決定してもよい。すなわち、データを受信するデバイスは、データが送信されることができ、かつシステムにおいて指定された時点においてだけチャネル検出を実行してよく、他の時点においてチャネル検出を継続的に実行する必要がない。第１のデバイス１２００によれば、チャネル検出中、データを受信するデバイスの電力消費が低減されることができる。
【０１７４】
任意選択で、実施形態において、プロセッサ１２０１は、クリアチャネルアセスメントＣＣＡバックオフプロセスの終了時点に応じて候補時点セットからターゲット候補時点を決定するように特に構成される。送信機１２０２は、ターゲット候補時点からチャネル上でデータを送信することを開始するように特に構成される。
【０１７５】
さらに、プロセッサ１２０１は、候補時点セットからターゲット候補時点を決定するように特に構成され、ターゲット候補時点は、ＣＣＡバックオフプロセスの終了時点と等しい、または終了時点より後である。
【０１７６】
さらに、送信機１２０２は、ターゲット候補時点が、ＣＣＡバックオフプロセスの終了時点より後である候補時点セットにおける候補時点である場合、ＣＣＡバックオフプロセスの終了時点からチャネル上でパディングデータを送信することを開始すること、およびターゲット候補時点からチャネル上でパディングデータを送信することを停止することを行うようにさらに構成され、ターゲット候補時点は、ＣＣＡバックオフプロセスの終了時点より後である候補時点セットにおける第１の候補時点である。
【０１７７】
さらに、プロセッサ１２０１は、ターゲット候補時点が、ＣＣＡバックオフプロセスの終了時点より後である候補時点セットにおける候補時点である場合、ＣＣＡバックオフプロセスの終了時点からＣＣＡ検出を実行することを開始すること、およびターゲット候補時点からＣＣＡ検出を実行することを停止することを行うようにさらに構成され、ターゲット候補時点は、チャネルがアイドルであり、かつＣＣＡバックオフプロセスの終了時点より後である候補時点セットにおける第１の候補時点である。
【０１７８】
任意選択で、別の実施形態において、プロセッサ１２０１は、候補時点セットに応じて第１のバックオフ閾値Ｎminを決定することであって、Ｎminは、正の整数であること、［Ｎmin，ｑ］から初期バックオフ値Ｎを決定することであって、ｑは、第１のデバイスの事前設定されたバックオフ閾値であり、かつｑは、Ｎminより大きい正の整数であること、初期バックオフ値Ｎに応じてクリアチャネルアセスメントＣＣＡバックオフプロセスを実行すること、現在のバックオフ値Ｎcを決定すること、第２の時点を決定することであって、第２の時点は、現在のバックオフ値Ｎcが第１のバックオフ閾値Ｎminと等しい時点であること、および候補時点セットからターゲット候補時点を決定することであって、ターゲット候補時点は、第２の時点より早くなく、ターゲット候補時点は、第３の時点より早く、かつ第３の時点は、現在のバックオフ値Ｎcが０と等しい時点であることを行うように特に構成される。送信機１２０２は、ターゲット候補時点からチャネル上でデータを送信することを開始するように特に構成される。
【０１７９】
任意選択で、別の実施形態において、プロセッサ１２０１は、ターゲット候補時点からクリアチャネルアセスメントＣＣＡバックオフプロセスを実行することを開始するようにさらに構成される。送信機１２０２は、ＣＣＡバックオフプロセスの終了時点からチャネル上でデータを送信することを開始するように特に構成される。
【０１８０】
任意選択で、実施形態において、プロセッサ１２０１は、チャネル上の事前設定された時点に応じて候補時点セットを決定するように特に構成される。
【０１８１】
チャネル上の事前設定された時点は、以下の時点、すなわち、チャネル上の直交周波数分割多重（英語  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、略して「ＯＦＤＭ」）シンボルの開始時点、チャネル上のＯＦＤＭシンボルの各１／Ｋに対応する時点、チャネル上のタイムスロットの開始時点、チャネル上のデータサブフレームの開始時点、チャネル上のデータフレームの開始時点、またはチャネル上のＭ個のサンプリング周期の開始時点のうちのいずれか１つであり、Ｋは、１より大きい正の整数であり、かつＭは、正の整数である。
【０１８２】
例えば、事前設定された時点が、チャネル上のＭのサンプリング周期の開始時点である場合、候補時点セットにおける第１の候補時点は、システムフレーム番号がｎであるデータフレームの開始時点であり、ｎは、正の整数である、またはｎは、０と等しいことがある。候補時点セットにおける他の候補時点は、チャネル上のＭのサンプリング周期の開始時点である。例えば、Ｍは、５６０または６２４と等しいことがある。
【０１８３】
別の例に関して、事前設定された時点が、チャネル上のＯＦＤＭシンボルの各１／Ｋに対応する時点である場合、Ｋの値は、２または３であり得る。すなわち、チャネル上のＯＦＤＭシンボルの各１／２または各１／３が、候補時点セットにおける候補時点として使用される。
【０１８４】
無論、候補時点セットにおける候補時点は、チャネル上のサブフレームの複数の時点であり得る。１つのサブフレームにおける候補時点、および１つのサブフレームにおける候補時点の数量は、サンプリング周期と関係付けられていることがある。例えば、５７６のサンプリング周期における３０の候補時点、および５６０のサンプリング周期における２４の候補時点が、１つのサブフレームにおいて事前設定され得る。５７６のサンプリング周期における３０の候補時点は、サブフレームにおいて合計で３０の候補時点が設定されることを意味し、各候補時点は、５７６のサンプリング周期のうちの１つの開始時点である。同様に、５６０のサンプリング周期における２４の候補時点は、サブフレームにおいて合計で２４の候補時点が設定されることを意味し、各候補時点は、５６０のサンプリング周期のうちの１つの開始時点である。すなわち、サブフレームは、合計で５４の候補時点を含み得る。５４の候補時点のうちの３０の候補時点は、５７６のサンプリング周期の開始時点であり、５４の候補時点のうちの２４の候補時点は、５６０のサンプリング周期の開始時点である。５４の候補時点の配列順序は、限定されない。別の例に関して、６４０のサンプリング周期における９の候補時点、および６２４のサンプリング周期における４０の候補時点が、１つのサブフレームにおいて事前設定され得る。この事例において、サブフレームは、合計で４９の候補時点を含む。４９の候補時点のうちの９の候補時点は、６４０のサンプリング周期の開始時点であり、４９の候補時点のうちの４０の候補時点は、６２４のサンプリング周期の開始時点である。
【０１８５】
図１３は、本発明の実施形態による第２のデバイスの構造ブロック図である。図１３に示されるとおり、第２のデバイス１３００は、プロセッサ１３０１と、受信機１３０２とを含む。
【０１８６】
プロセッサ１３０１は、候補時点セットを決定するように構成される。
【０１８７】
プロセッサ１３０１は、プロセッサ１３０１によって決定された候補時点セットにおける各候補時点を決定するようにさらに構成される。
【０１８８】
受信機１３０２は、プロセッサ１３０１によって決定された各候補時点に応じてチャネル上でデータを受信するように構成される。
【０１８９】
図１３に示される第２のデバイス１３００は、候補時点セットにおける各候補時点に応じて、データが受信されることができる時点を決定してよい。すなわち、第２のデバイス１３００は、データが送信されることができ、かつシステムにおいて指定された時点においてだけチャネル検出を実行してよく、他の時点においてチャネル検出を継続的に実行する必要がない。したがって、チャネル検出中の第２のデバイス１３００の電力消費が低減される。
【０１９０】
任意選択で、実施形態において、受信機１３０２は、各候補時点においてチャネル上でチャネル検出を実行して、チャネル上でデータを受信するようにするように特に構成される。
【０１９１】
任意選択で、別の実施形態において、プロセッサ１３０１は、各候補時点に応じて各クリアチャネルアセスメントＣＣＡ検出の終了時点を決定するようにさらに構成される。受信機１３０２は、各ＣＣＡ検出の終了時点においてチャネル上でチャネル検出を実行して、チャネル上でデータを受信するようにするように特に構成される。
【０１９２】
任意選択で、実施形態において、プロセッサ１３０１は、チャネル上の事前設定された時点に応じて候補時点セットを決定するように特に構成される。
【０１９３】
チャネル上の事前設定された時点は、以下の時点、すなわち、チャネル上の直交周波数分割多重（英語  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、略して「ＯＦＤＭ」）シンボルの開始時点、チャネル上のＯＦＤＭシンボルの各１／Ｋに対応する時点、チャネル上のタイムスロットの開始時点、チャネル上のデータサブフレームの開始時点、チャネル上のデータフレームの開始時点、またはチャネル上のＭ個のサンプリング周期の開始時点のうちのいずれか１つであり、Ｋは、１より大きい正の整数であり、かつＭは、正の整数である。
【０１９４】
例えば、事前設定された時点が、チャネル上のＭのサンプリング周期の開始時点である場合、候補時点セットにおける第１の候補時点は、システムフレーム番号がｎであるデータフレームの開始時点であり、ｎは、正の整数である、またはｎは、０と等しいことがある。候補時点セットにおける他の候補時点は、チャネル上のＭのサンプリング周期の開始時点である。例えば、Ｍは、５６０または６２４と等しいことがある。
【０１９５】
別の例に関して、事前設定された時点が、チャネル上のＯＦＤＭシンボルの各１／Ｋに対応する時点である場合、Ｋの値は、２または３であり得る。すなわち、チャネル上のＯＦＤＭシンボルの各１／２または各１／３が、候補時点セットにおける候補時点として使用される。
【０１９６】
無論、候補時点セットにおける候補時点は、チャネル上のサブフレームの複数の時点であり得る。１つのサブフレームにおける候補時点、および１つのサブフレームにおける候補時点の数量は、サンプリング周期と関係付けられていることがある。例えば、５７６のサンプリング周期における３０の候補時点、および５６０のサンプリング周期における２４の候補時点が、１つのサブフレームにおいて事前設定され得る。５７６のサンプリング周期における３０の候補時点は、サブフレームにおいて合計で３０の候補時点が設定されることを意味し、各候補時点は、５７６のサンプリング周期のうちの１つの開始時点である。同様に、５６０のサンプリング周期における２４の候補時点は、サブフレームにおいて合計で２４の候補時点が設定されることを意味し、各候補時点は、５６０のサンプリング周期のうちの１つの開始時点である。すなわち、サブフレームは、合計で５４の候補時点を含み得る。５４の候補時点のうちの３０の候補時点は、５７６のサンプリング周期の開始時点であり、５４の候補時点のうちの２４の候補時点は、５６０のサンプリング周期の開始時点である。５４の候補時点の配列順序は、限定されない。別の例に関して、６４０のサンプリング周期における９の候補時点、および６２４のサンプリング周期における４０の候補時点が、１つのサブフレームにおいて事前設定され得る。この事例において、サブフレームは、合計で４９の候補時点を含む。４９の候補時点のうちの９の候補時点は、６４０のサンプリング周期の開始時点であり、４９の候補時点のうちの４０の候補時点は、６２４のサンプリング周期の開始時点である。
【０１９７】
当業者は、本明細書において開示される実施形態において説明される例と組み合わせて、ユニットおよびアルゴリズムステップが、電子ハードウェア、またはコンピュータソフトウェアと電子ハードウェアの組合せによって実施され得ることを認識してよい。その機能がハードウェアまたはソフトウェアによって実行されるかどうかは、特定のアプリケーションおよび技術的ソリューションの設計制約条件に依存する。当業者は、各特定のアプリケーションに関して説明される機能を実施するのに異なる方法を使用してよいが、実施様態は、本発明の範囲を超えないと見なされるべきである。
【０１９８】
便利で簡単な説明の目的で、前述のシステム、装置、およびユニットの詳細な機能プロセスに関して、前述の方法実施形態における対応するプロセスが参照されてよいことが当業者によって明確に理解されてよく、詳細が説明されることはない。
【０１９９】
本出願において提供されるいくつかの実施形態において、開示されるシステム、装置、および方法は、他の様態で実施されてよいことを理解されたい。例えば、説明される装置実施形態は、例示的であるに過ぎない。例えば、ユニットの分割は、論理的な機能分割であるに過ぎず、実際の実施様態において他の分割であり得る。例えば、複数のユニットまたは構成要素が、組み合わされること、もしくは別のシステムに統合されることがあり、またはいくつかの機能が、無視されること、もしくは実行されないことがある。さらに、表示される、または説明される相互の結合または直接の結合もしくは通信接続は、いくつかのインターフェースを使用することによって実施されてよい。装置またはユニットの間の間接的な結合もしくは通信接続は、電子形態、機械形態、または他の形態で実施され得る。
【０２００】
別々の部分として説明されるユニットは、物理的に別々であることがあり、またはそうでないことがあり、ユニットとして表示される部分は、物理ユニットであることがあり、またはそうでないことがあり、１つの位置に位置付けられることがあり、または複数のネットワークユニット上に分散されることがある。ユニットのうちのいくつか、またはすべてが、実施形態のソリューションの目的を実現する実際の必要性に応じて選択されてよい。
【０２０１】
さらに、本発明の実施形態における機能ユニットは、１つの処理ユニットに組み込まれることがあり、またはユニットの各々が物理的に単独で存在することがあり、または２つ以上のユニットが１つのユニットに組み込まれる。
【０２０２】
機能が、ソフトウェア機能ユニットの形態で実施され、かつ独立した製品として販売される、または使用される場合、機能は、コンピュータ読取可能記憶媒体に記憶され得る。そのような理解に基づいて、本発明の技術的ソリューションは、基本的に、または従来技術に寄与する部分は、または技術的ソリューションの一部分が、ソフトウェア製品の形態で実施され得る。ソフトウェア製品は、記憶媒体に記憶され、本発明の実施形態において説明される方法のステップのすべてまたは一部分を実行するようコンピュータデバイス（パーソナルコンピュータ、サーバ、またはネットワークデバイスであり得る）またはプロセッサ（ｐｒｏｃｅｓｓｏｒ）に命令するためのいくつかの命令を含む。前述の記憶媒体は、ＵＳＢフラッシュドライブ、リムーバブルハードディスク、読取り専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスクなどの、プログラムコードを記憶することができるいずれかの媒体を含む。
【０２０３】
前述の説明は、本発明の特定の実施形態に過ぎず、本発明の保護範囲を限定するようには意図されない。本発明において開示される技術的範囲内で当業者によって容易に考案されるいずれの変形または置換も、本発明の保護範囲に入るものとする。したがって、本発明の保護範囲は、特許請求の範囲の保護範囲の対象であるものとする。
【図１】
0006491346.tif 000004
【図２】
0006491346.tif 000005
【図３】
0006491346.tif 000006
【図４】
0006491346.tif 000007
【図５】
0006491346.tif 000008
【図６】
0006491346.tif 000009
【図７】
0006491346.tif 000010
【図８】
0006491346.tif 000011
【図９】
0006491346.tif 000012
【図１０】
0006491346.tif 000013
【図１１】
0006491346.tif 000014
【図１２】
0006491346.tif 000015
【図１３】
0006491346.tif 000016